(57)【要約】【課題】骨壺の外部を造形蓋体及び造景部材で覆って組立て、骨壺の装飾効果を高める骨壺装飾構造を提供する。【解決手段】骨壺装飾構造は、骨壺３０を覆って人工的な造景を形成するとともに、造形蓋体１０と、少なくとも１つの造景受盤２０とを備える。造形蓋体１０は、前板１１、２つの側板１２及び上蓋１３を有し、収容空間１４が形成される。造景受盤２０は、本体２１及び装飾部材２２を有し、本体２１と前板１１との間に設けられた結合部を有する。造形蓋体１０と造景受盤２０とは、結合部により結合されて装飾構造が得られる。造形蓋体１０には、位置決め凹孔１１２が設けられる。造景受盤２０には、位置決め凸点２１２が設けられる。結合部は、永久磁石、係合部材又は爪部材である。造形蓋体１０は、後板を有する。前板１１は分離可能である。【選択図】図２
0003213440.tif 000002
【実用新案登録請求の範囲】
【請求項１】
造形蓋体と、少なくとも１つの造景受盤と、を備えた骨壺装飾構造であって、
前記造形蓋体は、前板、２つの側板及び上蓋を有し、収容空間が形成され、骨壺を覆って人工的な造景を形成するとともに、
前記造景受盤は、本体及び装飾部材を有し、前記本体と前記前板との間に設けられた結合部を有し、
前記造形蓋体と前記造景受盤とは、前記結合部により結合されて装飾構造が得られることを特徴とする骨壺装飾構造。
【請求項２】
前記造形蓋体には、位置決め凹孔が設けられ、
前記造景受盤には、位置決め凸点が設けられることを特徴とする請求項１に記載の骨壺装飾構造。
【請求項３】
前記結合部は、永久磁石、係合部材又は爪部材であることを特徴とする請求項１に記載の骨壺装飾構造。
【請求項４】
前記造形蓋体は、後板を有することを特徴とする請求項１に記載の骨壺装飾構造。
【請求項５】
前記前板は分離可能であることを特徴とする請求項１に記載の骨壺装飾構造。
【考案の詳細な説明】
【技術分野】
【０００１】
本考案は、骨壺装飾構造に関するものであり、さらに詳しくは、骨壺の外部を造形蓋体及び造景部材で覆って組立て、骨壺の装飾効果を高める骨壺装飾構造に関するものである。
【背景技術】
【０００２】
昔から死者のほとんどは土葬方式で葬られてきた。肉体は塵・土から来たため、死後の肉体は塵・土に還るのが自然であり、死後の肉体を土に埋葬すれば霊魂が安らかに極楽往生できると多くの者は信じていた。
【０００３】
その後、火葬方式で死者を葬るようにもなり、火葬後の遺灰は骨壺中に収容してから、納骨堂内に保管されるのが一般的である。従来、納骨堂内には、通常、箱型の同規格の複数の霊龕が設置されており、霊龕内で骨壺を保管し、後日、親族などの求めに応じて霊龕を開き、祈りを捧げることが一般的習俗であった。
【０００４】
しかし、霊龕内の空間が簡素に設計され、霊龕の門を開くと骨壺が直接見られるようになっており、人によっては骨壺を直接見ると敬畏に感じることがあるため、従来の霊龕は人々の心理的負担を減らすために改善が求められていた。
【考案の概要】
【考案が解決しようとする課題】
【０００５】
従って、本考案の主な課題は、骨壺の保管空間の外観を良くし、単調だった設置方式を改善し、視覚的かつ心理的に好ましい骨壺装飾構造を提供することにある。
【課題を解決するための手段】
【０００６】
そこで、本考案者は、前記の課題を解決するために鋭意検討を重ねた結果、後述のように骨壺を筐体部材で成形された蓋体によりその周囲を囲い、更に前面に装飾物を置けるような構造にすることにより、前記課題を解決できる点に着目し、かかる知見に基いて本考案に想到するに至った。
【０００７】
かくして、本考案の要旨は次の（１）〜（５）に示す通りである。
（１）造形蓋体と、少なくとも１つの造景受盤と、を備えた骨壺装飾構造であって、
前記造形蓋体は、前板、２つの側板及び上蓋を有し、収容空間が形成され、骨壺を覆って人工的な造景を形成するとともに、
前記造景受盤は、本体及び装飾部材を有し、前記本体と前記前板との間に設けられた結合部を有し、
前記造形蓋体と前記造景受盤とは、前記結合部により結合されて装飾構造が得られることを特徴とする骨壺装飾構造。
【０００８】
（２）前記造形蓋体には、位置決め凹孔が設けられ、
前記造景受盤には、位置決め凸点が設けられることを特徴とする前記（１）に記載の骨壺装飾構造。
【０００９】
（３）前記結合部は、永久磁石、係合部材又は爪部材であることを特徴とする前記（１）に記載の骨壺装飾構造。
【００１０】
（４）前記造形蓋体は、後板を有することを特徴とする前記（１）に記載の骨壺装飾構造。
【００１１】
（５）前記前板は分離可能であることを特徴とする前記（１）に記載の骨壺装飾構造。
【００１２】
【考案の効果】
【００１３】
本考案は、前記の通りの構成からなるものであり、骨壺の外部を造形蓋体及び造景部材で覆って組立てることにより参拝者の心理的負担を軽減し、更に装飾効果を高めることにより視覚的かつ心理的に好ましい印象を与える骨壺装飾構造を提供することができる。
【図面の簡単な説明】
【００１４】
【図１】図１は、本考案の一実施形態に係る骨壺装飾構造を示す斜視図である。
【図２】図２は、本考案の一実施形態に係る骨壺装飾構造を示す分解斜視図である。
【図３】図３は、本考案の一実施形態に係る骨壺装飾構造を示す断面図である。
【図４】図４は、本考案の他の実施形態に係る骨壺装飾構造を示す分解斜視図である。
【図５】図５は、本考案の他の実施形態に係る骨壺装飾構造を示す分解斜視図である。
【考案を実施するための形態】
【００１５】
以下、図面に基いて、本考案について具体的に説明する。もっとも本考案は、かかる図面に限定されるものではない。
図１を参照する。図１に示すように、本考案の一実施形態に係る骨壺装飾構造は、少なくとも造形蓋体１０及び造景受盤２０から構成されてなる。造形蓋体１０は、骨壺を覆う造形に成形された筐体部材である。造景受盤２０は、人工的な景観が施された部材に成形される。本実施形態では、造形蓋体１０と造景受盤２０との間に永久磁石、嵌合、爪部などの結合構造が設けられているが、それらは必要に応じて骨壺外部に取り付けてもよい。
【００１６】
図２を参照する。図２に示すように、上述した造形蓋体１０は、前板１１と、２つの側板１２と、上蓋１３と、から構成され、収容空間１４を有する構造に成形されてもよい。造形蓋体１０の全体構造は、建物、幾何学的造形、自然の風景などの形状に成形されてもよい。前板１１は、少なくとも１つの第１の永久磁石１１１と、位置決め凹孔１１２と、を有する。造景受盤２０は、装飾部材２２を載置する本体２１を含む。本体２１は、極性が第１の永久磁石１１１に対応した第２の永久磁石２１１と、位置が位置決め凹孔１１２に対応した位置決め凸点２１２と、を少なくとも一辺に有する。
【００１７】
図３を参照する。図３に示すように、本実施形態の造形蓋体１０は、骨壺３０の外側面を覆うため、骨壺３０が直接露出されて見られることを防ぐことができる。造景受盤２０の第２の永久磁石２１１は、第１の永久磁石１１１と磁気吸引される。
【００１８】
図４を参照する。図４に示すように、本実施形態の造景受盤２０の面積は、霊龕の空間の必要に応じて決めることができ、面積が小さめな造景受盤２０に変更したり、各造景受盤２０間に結合部を設けて組み合わせ、面積が大きめの造景に成形したりしてもよい。本実施形態では、係合構造２３を例に説明したが、勿論このような結合構造だけに限定されるわけではない。
【００１９】
図５を参照する。図５に示すように、造形蓋体１０は、図２と異なり、後板１５をさらに含み、前板１１を造形蓋体１０から分離したり、造形蓋体１０と組み合わせたりしてもよい。前板１１は、永久磁石群４０により磁気吸引して接合してもよい。
【００２０】
上述の構造を実施した後、大部分の骨壺は、本考案が有する造形蓋体１０及び造景受盤２０により遮蔽して装飾し、創意工夫された造形及び造景により、厳粛な雰囲気を変え、外観構成を新鮮にすることができる。上述したことから分かるように、本考案の骨壺装飾構造は、造形蓋体１０及び造景受盤２０を予め様々な形状に製作しておき、使用者の好みに応じて組み合わせることができ、様々な装飾効果が得られるため実用的価値も大きい。
【符号の説明】
【００２１】
１０  造形蓋体
１１  前板
１２  側板
１３  上蓋
１４  収容空間
１５  後板
２０  造景受盤
２１  本体
２２  装飾部材
２３  係合構造
３０  骨壺
４０  永久磁石群
１１１  第１の永久磁石
１１２  位置決め凹孔
２１１  第２の永久磁石
２１２  位置決め凸点
【図１】
0003213440.tif 000003
【図２】
0003213440.tif 000004
【図３】
0003213440.tif 000005
【図４】
0003213440.tif 000006
【図５】
0003213440.tif 000007